【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
少なくとも無線電波により着信した複数のメッセージを下層の階層に置き、最上階層を有する多階層構造の情報管理がなされ、前記各階層下での画面表示を含む動作が可能であり、且つ、指示入力が可能な入力手段と、画面表示がなされる画像表示器を備える携帯無線情報端末装置の画面操作方法であって、
或る階層からひとつ上の層への移動動作と、該ひとつ上の階層の画面表示動作とが組になった画面操作処理が、所定の指示入力が為されている期間、反復実行され、
前記所定の指示入力が終了したか、または前記最上階層に到達した場合、前記移動動作を停止させ、
前記下層の階層に置かれる前記メッセージは、前記携帯無線情報端末装置宛に送信された情報信号である
ことを特徴とする携帯無線情報端末装置の画面操作方法。
【請求項２】
前記最上階層がメインメニュー表示の階層であることを特徴とする請求項１記載の携帯無線情報端末装置の画面操作方法。
【請求項３】
前記最上階層が待受画面表示の階層であることを特徴とする請求項１記載の携帯無線情報端末装置の画面操作方法。
【請求項４】
少なくとも無線電波により着信した複数のメッセージを下層の階層に置き、最上階層がメインメニュー表示の階層か、または最上階層が待受画面表示の階層である、多階層構造の情報管理がなされ、前記各階層下での画面表示を含む動作が可能であり、且つ、指示入力が可能な入力手段と、画面表示がなされる画像表示器とを備える携帯無線情報端末装置であって、
前記入力手段からの入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段と
を備え、
且つ、前記入力信号の継続中は、前記画面操作処理が反復実行され、
前記下層の階層に置かれる前記メッセージは、前記携帯無線情報端末装置宛に送信された情報信号である
ことを特徴とする携帯無線情報端末装置。
【請求項５】
前記入力手段は、押込入力機器と一体となっている回転入力機器から構成される
ことを特徴とする請求項４に記載の携帯無線情報端末装置。
【請求項６】
前記入力手段の回転方向を示す情報と、前記入力手段の回転量および回転速度を示す情報とを生成する生成手段と、
前記入力手段に対する一度の操作が、一度の処理に対応するように、前記生成手段から情報が入力されると、直ちにその情報を出力するか、または前記入力手段に対する連続操作がされると、処理が反復実行されるように、前記生成手段から入力された情報をホールドしてから出力する入力信号処理手段と
をさらに備えることを特徴とする請求項５に記載の携帯無線情報端末装置。
【請求項７】
ファイルおよびフォルダを階層構造に編成するプログラムを記録するシステムメモリをさらに備え、
着信された前記メッセージごとに、前記メッセージの新たなファイルが生成される
ことを特徴とする請求項４に記載の携帯無線情報端末装置。
【請求項８】
情報データの添加、削除、およびロックを制御するためのプログラムを記録するシステムメモリをさらに備える
ことを特徴とする請求項４に記載の携帯無線情報端末装置。
【請求項９】
画像表示機器と入力機器とを備え、最上階層がメインメニュー表示の階層か、または最上階層が待受画面表示の階層であり、少なくとも無線電波により着信した複数のメッセージが下層の階層に置かれる、多階層による情報管理がなされた携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記三種類の手段が、コンピュータが読み取り、且つコンピュータが実行可能なプログラムとして記録され、
且つ、前記入力信号の継続中は、前記画面操作処理が反復実行され、
前記下層の階層に置かれる前記メッセージは、前記携帯無線情報端末装置宛に送信された情報信号である
ことを特徴とする記録媒体。
【請求項１０】
中央演算処理装置と、前記中央演算処理装置が読み取り且つ実行可能な手順をプログラムとして記録可能な記録部と、少なくとも前記中央演算処理装置および前記記録部に接続され、且つ、外部から接続可能なデータ伝達部を内蔵し、前記中央演算処理装置により処理された結果に基づく信号を外部機器に有線または無線により伝達する機能を具備するマイクロコンピュータ装置であって、
前記記録部には、画像表示機器と入力機器とを備え、最上階層がメインメニュー表示の階層か、または最上階層が待受画面表示の階層であり、少なくとも無線電波により着信した複数のメッセージが下層の階層に置かれる、多階層による情報管理がなされた携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記三種類の手段が、前記中央演算処理装置により読み取り、且つ実行可能なプログラムとして記録され、
且つ、前記入力信号の継続中は、前記画面操作処理が反復実行され、
前記下層の階層に置かれる前記メッセージは、前記携帯無線情報端末装置宛に送信された情報信号である
ことを特徴とするマイクロコンピュータ装置。
【請求項１１】
前記入力機器は、押込入力機器と一体となっている回転入力機器から構成され、前記入力信号を発生させる
ことを特徴とする請求項１０に記載のマイクロコンピュータ装置。
【手続補正２】
【補正対象書類名】明細書
【補正対象項目名】００２１
【補正方法】変更
【補正の内容】
【００２１】
前記目的を達成するため、本発明に係る携帯無線情報端末装置の画面表操作方法は、少なくとも無線電波により着信した複数のメッセージを下層の階層に置き、最上階層を有する多階層構造の情報管理がなされ、前記各階層下での画面表示を含む動作が可能であり、且つ、指示入力が可能な入力手段と、画面表示がなされる画像表示器を備える携帯無線情報端末装置の画面操作方法であって、或る階層からひとつ上の階層への移動動作と、該ひとつ上の階層の画面表示動作とが組になった画面操作処理が、所定の指示入力が為されている期間、反復実行され、前記所定の指示入力が終了したか、または前記最上階層に到達した場合、前記移動動作を停止させ、前記下層の階層に置かれる前記メッセージは、前記携帯無線情報端末装置宛に送信された情報信号であることを特徴とする。
【手続補正３】
【補正対象書類名】明細書
【補正対象項目名】００２３
【補正方法】変更
【補正の内容】
【００２３】
また本発明に係る携帯無線情報端末装置は、少なくとも無線電波により着信した複数のメッセージを下層の階層に置き、最上階層がメインメニュー表示の階層か、または最上階層が待受画面表示の階層である、多階層構造の情報管理がなされ、前記各階層下での画面表示を含む動作が可能であり、且つ、指示入力が可能な入力手段と、画面表示がなされる画像表示器とを備える携帯無線情報端末装置であって、
前記入力手段からの入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段と
を備え、
且つ、前記入力信号の継続中は、前記画面操作処理が反復実行され、
前記下層の階層に置かれる前記メッセージは、前記携帯無線情報端末装置宛に送信された情報信号であることを特徴とする。
【手続補正４】
【補正対象書類名】明細書
【補正対象項目名】００２５
【補正方法】変更
【補正の内容】
【００２５】
本発明に係る記録媒体は、画像表示機器と入力機器とを備え、最上階層がメインメニュー表示の階層か、または最上階層が待受画面表示の階層であり、少なくとも無線電波により着信した複数のメッセージが下層の階層に置かれる、多階層による情報管理がなされた携帯無線情報端末装置が、いずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記三種類の手段が、コンピュータが読み取り、且つコンピュータが実行可能なプログラムとして記録され、
且つ、前記入力信号の継続中は、前記画面操作処理が反復実行され、
前記下層の階層に置かれる前記メッセージは、前記携帯無線情報端末装置宛に送信された情報信号であることを特徴とする。
【手続補正５】
【補正対象書類名】明細書
【補正対象項目名】００２７
【補正方法】変更
【補正の内容】
【００２７】
本発明に係るマイクロコンピュータ装置は、中央演算処理装置と、前記中央演算処理装置が読み取り且つ実行可能な手順をプログラムとして記録可能な記録部と、少なくとも前記中央演算処理装置および前記記録部に接続され、且つ、外部から接続可能なデータ伝達部を内蔵し、前記中央演算処理装置により処理された結果に基づく信号を外部機器に有線または無線により伝達する機能を具備するマイクロコンピュータ装置であって、
前記記録部には、画像表示機器と入力機器とを備え、最上階層がメインメニュー表示の階層か、または最上階層が待受画面表示の階層であり、少なくとも無線電波により着信した複数のメッセージが下層の階層に置かれる、多階層による情報管理がなされた携帯無線情報端末装置がいずれかの階層下で作動中に、発生した入力信号が所定の指示入力による入力信号かを判定する指示入力判定手段と、
前記指示入力判定手段の判定に基づき、発生した入力信号が継続中であるかを確認して、発生した入力信号が継続中であれば階層間移動手段を作動させ、発生した入力信号が終止したか、または前記最上階層に到達した場合、階層間移動手段の作動を停止させる作動管理手段と、
前記作動管理手段の指令に基づき、或る階層からひとつ上の層への移動動作と、該ひとつ上の階層の画面表示動作とが組になった画面操作処理を実行する階層間移動手段との、
少なくとも前記三種類の手段が、前記中央演算処理装置により読み取り、且つ実行可能なプログラムとして記録され、
且つ、前記入力信号の継続中は、前記画面操作処理が反復実行され、
前記下層の階層に置かれる前記メッセージは、前記携帯無線情報端末装置宛に送信された情報信号である
ことを特徴とする。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】０１８６
【補正方法】削除
【補正の内容】
【手続補正１５】
【補正対象書類名】明細書
【補正対象項目名】０１８７
【補正方法】削除
【補正の内容】
【手続補正１６】
【補正対象書類名】明細書
【補正対象項目名】０１８８
【補正方法】削除
【補正の内容】
【手続補正１７】
【補正対象書類名】明細書
【補正対象項目名】０１８９
【補正方法】削除
【補正の内容】
【手続補正１８】
【補正対象書類名】明細書
【補正対象項目名】０１９０
【補正方法】削除
【補正の内容】
【手続補正１９】
【補正対象書類名】明細書
【補正対象項目名】０１９１
【補正方法】削除
【補正の内容】
【手続補正２０】
【補正対象書類名】明細書
【補正対象項目名】０１９２
【補正方法】削除
【補正の内容】
【手続補正２１】
【補正対象書類名】明細書
【補正対象項目名】０１９３
【補正方法】削除
【補正の内容】
【手続補正２２】
【補正対象書類名】明細書
【補正対象項目名】０１９４
【補正方法】削除
【補正の内容】
【手続補正２３】
【補正対象書類名】明細書
【補正対象項目名】０１９５
【補正方法】削除
【補正の内容】
【手続補正２４】
【補正対象書類名】明細書
【補正対象項目名】０１９６
【補正方法】削除
【補正の内容】
【手続補正２５】
【補正対象書類名】明細書
【補正対象項目名】０１９７
【補正方法】削除
【補正の内容】
【手続補正２６】
【補正対象書類名】明細書
【補正対象項目名】０１９８
【補正方法】削除
【補正の内容】
【手続補正２７】
【補正対象書類名】明細書
【補正対象項目名】０１９９
【補正方法】削除
【補正の内容】
【手続補正２８】
【補正対象書類名】明細書
【補正対象項目名】０２００
【補正方法】削除
【補正の内容】
【手続補正２９】
【補正対象書類名】明細書
【補正対象項目名】０２０１
【補正方法】削除
【補正の内容】
【手続補正３０】
【補正対象書類名】明細書
【補正対象項目名】０２０２
【補正方法】削除
【補正の内容】
【手続補正３１】
【補正対象書類名】明細書
【補正対象項目名】０２０３
【補正方法】削除
【補正の内容】